(57)【要約】【課題】  中継用ドレインにあって、雨水の飛散を防止し得るとともに、排水能力の低下やドレイン本体の全高寸法の増大化を招来せず、しかも破損時や劣化時の交換を容易に行い得る雨水飛散防止装置を提供する。【解決手段】  ストレーナ６の通水蓋部９に対応する高さ位置で、該ストレーナ６の筒状保持部８内に、上端を縦樋管１５の外径より径大な導入口１８ａとし、下端を排水管部４の上部開口径より径小または略同径の導出口１８ｂとする漏斗状部１７を、その導出口１８ｂを排水管部４の上部位置に同心状に臨ませた状態で一体形成するようにした。また、ストレーナ６の筒状保持部８を、漏斗状部１７の上部で上下に分割形成し、かつ分離可能に組み付けるようにした。【選択図】    図１
2006152637.tif 000002
【特許請求の範囲】
【請求項１】
排水管部が下方に突成されたドレイン受皿に、側方に突出する導水筐部が連成されたドレイン本体と、該ドレイン本体上に固定されるストレーナとを備え、さらに該ストレーナが、前記排水管部の上方位置で縦樋管の下端部を内嵌して保持する筒状保持部と、該筒状保持部から側方に突成されて前記導水筐部を覆う通水蓋部とを備えてなるものであり、各階の床の上下で一致する位置に排水管部を床に挿通させてドレイン本体が配設され、上端部を上階のドレイン本体の排水管部に嵌装し、下端部を下階のストレーナの筒状保持部に挿入することにより縦樋管が垂直に差し渡される中継用ドレインにおいて、
前記ストレーナの通水蓋部に対応する高さ位置で、前記ストレーナの筒状保持部内に、上端を縦樋管の外径より径大な導入口とし、下端を排水管部の上部開口径より径小または略同径の導出口とする漏斗状部が、その導出口を排水管部の上部位置に同心状に臨ませた状態で一体形成されていることを特徴とする中継用ドレインにおける雨水飛散防止装置。
【請求項２】
ストレーナの筒状保持部が、漏斗状部の上部で上下に分割形成され、かつ分離可能に組み付けられていることを特徴とする請求項１記載の中継用ドレインにおける雨水飛散防止装置。
【発明の詳細な説明】
【技術分野】
【０００１】
本発明は、各階の床に配設された中継用ドレイン間に上下に差し渡される縦樋管から下階のストレーナ内に雨水を放出する際に、その飛沫が外部へ飛散しないようにするための中継用ドレインの雨水飛散防止装置に関する。
【背景技術】
【０００２】
一般に、中継用ドレインは、建物の各階におけるバルコニーやベランダ（以下、これらを「バルコニー等」という）の床の上下で一致する位置に夫々配設され、各中継用ドレインには縦樋管が垂直に差し渡されている。そして、各階の床面からその階の中継用ドレインに流入した雨水を、縦樋管を通して下階の中継用ドレインへ順次送り、最終的に地上の排水溝等へ排出し得るようになっている。
【０００３】
かかる中継用ドレインにあって、バルコニー等の床面に形成された浅底状の排水溝に連通させて配設され、該排水溝を流れる雨水を主に排水する溝排水用の中継用ドレインが知られている。
【０００４】
この種の中継用ドレイン１Ａは、図５に示すように、排水管部４が下方に突成されたドレイン受皿３に、側方に突出する導水筐部５が連成されたドレイン本体２と、該ドレイン本体２上にビス７で着脱可能に固定されたストレーナ６とを備え、さらに該ストレーナ６が、前記排水管部４の上方位置で縦樋管１５の下端部を内嵌して保持する筒状保持部８と、該筒状保持部８から側方に突成されて前記導水筐部５を覆う通水蓋部９とを備えている。この通水蓋部９は天壁部１０と周壁部１１とからなり、該天壁部１０には複数の細長状の通水孔１３が形成され、また、周壁部１１には複数のアーチ形の通水孔１４が形成されている。そして、このような中継用ドレイン１Ａのドレイン本体２が、各階のバルコニー等の床Ｆの上下で一致する位置に排水管部４を床Ｆに挿通させた状態で配設され、長尺な縦樋管１５の上端部を上階のドレイン受皿３の排水管部４に嵌装し、下端部を下階のストレーナ６の筒状保持部８に内嵌してビス１６の緊締作用を介して保持させることにより、各階の中継用ドレイン１Ａ，１Ａ間に縦樋管１５が垂直に差し渡されている。
【０００５】
そして、床面ｆに形成されている浅底状の排水溝（図示省略）から主に流れてくるその階の雨水が、通水蓋部９の通水孔１３，１４からドレイン本体２の導水筐部５に流入し、排水管部４を経て縦樋管１５に流入する。また、各階で縦樋管１５に流入した雨水は、該縦樋管１５を流下して下階の中継用ドレイン１Ａに送られ、さらに下階に流下する。この時、下階の中継用ドレイン１Ａに送られる雨水は、下階のストレーナ６の筒状保持部８内で、縦樋管１５の下端から一旦放出され、落下して、下方のドレイン受皿３の排水管部４から縦樋管１５に再度流入するようになっている。
【０００６】
ところで、上記のような中継用ドレイン１Ａの構成にあっては、ドレイン受皿３に形成されている排水管部４の上部開口径が縦樋管１５より小径であるため、縦樋管１５の下端から下階のストレーナ６の筒状保持部８内に雨水が放出されると、落下する雨水の一部が排水管部４の開口周縁に衝当し、その飛沫がストレーナ６の通水蓋部９に形成されている通水孔１３，１４から外部へ飛散するという問題点があった。
【０００７】
そこで、このような雨水の飛散を防止することを目的として、図６に示すように、ドレイン受皿３から排水管部４に連なる部分に、その上部から下部に向かって口径が漸次縮小するテーパ状の漏斗部Ｒを設け、該漏斗部Ｒの案内作用を介して雨水を下方に流下させるようにしたものが提案されている（特許文献１参照）。
【特許文献１】特開２００４−１３７７１６号公報
【発明の開示】
【発明が解決しようとする課題】
【０００８】
上記特許文献１に開示されている先行技術にあっては、雨水を下方に流下させる案内作用を得るための漏斗部Ｒを設けてはいるものの、豪雨時において、上方の縦樋管１５の下端から放出されて落下する大量の雨水が漏斗部Ｒに衝当すると、雨水が跳ね上がり、その跳ね上がった雨水が天壁部１０の通水孔１３（図５参照）から外部へ飛散する虞があるため、図６に示すように、敢えて該天壁部１０を無孔の壁面にすることにより、雨水の外部飛散を防止するようにしている。このため、床面ｆからドレイン本体２の導水筐部５内に流入する雨水の排水能力が低下してしまうという問題点がある。ここで、天壁部１０の通水孔１３（図５参照）は、周壁部１１の通水孔１４が木の葉やゴミで詰まったり、豪雨時に周壁部１１の通水孔１４の通水能力を超える大量の雨水が通水蓋部９の周囲に流れ込んだりして水位が上がった場合に、周壁部１１をオーバーフローした雨水を通水蓋部９の上部から排水するために設けられているものであり、上記のように天壁部１０に通水孔１３がなく、雨水の排水能力が低いと、バルコニー等の床面ｆ上に大量の雨水が滞留してしまい、バルコニー等の床面ｆと室内の床面との間が段差のないバリヤフリーである場合には、雨水が室内に流れ込む等の問題が生ずることとなる。
【０００９】
また、先行技術にあっては、ドレイン本体２のドレイン受皿３から排水管部４に連なる部分にテーパ状の漏斗部Ｒを設けているため、該漏斗部Ｒの長さ分だけ排水管部４が下方に伸びた形状となり、ドレイン本体２の全高寸法が大きくなる。このため、床Ｆを構成するスラブコンクリートの厚みが薄い場合には、このような全高寸法が大きいドレイン本体２の据え付け施工が困難になるという問題点がある。即ち、ドレイン本体２は、床Ｆの施工の際に、予めドレイン本体２を床成形用の型枠の上に筒状スペーサ２５（図６参照）を介して水平に支持し、この状態で型枠の上にスラブコンクリートを打設してドレイン本体２を該コンクリート内に固定する方法で据え付けられるのであるが、排水管部４が長いと筒状スペーサ２５によってドレイン本体２を型枠の上に支持することができなくなるため、型枠に排水管部４を通す孔を開ける等の煩雑な作業が要求され、ドレイン本体２を据え付ける施工が相当面倒になるという問題点がある。
【００１０】
本発明は、かかる従来の実状に鑑みてその改善を試みたものであって、その目的とするところは、溝排水用の中継用ドレインにおいて、雨水の飛散を防止し得るとともに、排水能力の低下やドレイン本体の全高寸法の増大化を招来せず、しかも施工が容易で、破損時や劣化時の交換を簡単に行い得る雨水飛散防止装置を提供することにある。
【課題を解決するための手段】
【００１１】
本発明は、排水管部が下方に突成されたドレイン受皿に、側方に突出する導水筐部が連成されたドレイン本体と、該ドレイン本体上に固定されるストレーナとを備え、さらに該ストレーナが、前記排水管部の上方位置で縦樋管の下端部を内嵌して保持する筒状保持部と、該筒状保持部から側方に突成されて前記導水筐部を覆う通水蓋部とを備えてなるものであり、各階の床の上下で一致する位置に排水管部を床に挿通させてドレイン本体が配設され、上端部を上階のドレイン本体の排水管部に嵌装し、下端部を下階のストレーナの筒状保持部に挿入することにより縦樋管が垂直に差し渡される中継用ドレインにおいて、前記ストレーナの通水蓋部に対応する高さ位置で、前記ストレーナの筒状保持部内に、上端を縦樋管の外径より径大な導入口とし、下端を排水管部の上部開口径より径小または略同径の導出口とする漏斗状部が、その導出口を排水管部の上部位置に同心状に臨ませた状態で一体形成されていることを特徴とする中継用ドレインにおける雨水飛散防止装置である。
【００１２】
ここで、上記通水蓋部は、周壁部と天壁部とからなり、該周壁部と天壁部に夫々通水孔が形成された構成が適用され得る。
【００１３】
また、前記ストレーナの筒状保持部が、漏斗状部の上部で上下に分割形成され、かつ分離可能に組み付けられている構成が提案される。
【発明の効果】
【００１４】
本発明は、上述したように、排水管部が下方に突成されたドレイン受皿に、側方に突出する導水筐部が連成されたドレイン本体と、該ドレイン本体上に固定されるストレーナとを備え、さらに該ストレーナが、前記排水管部の上方位置で縦樋管の下端部を内嵌して保持する筒状保持部と、該筒状保持部から側方に突成されて前記導水筐部を覆う通水蓋部とを備えてなるものであり、各階の床の上下で一致する位置に排水管部を床に挿通させてドレイン本体が配設され、上端部を上階のドレイン本体の排水管部に嵌装し、下端部を下階のストレーナの筒状保持部に挿入することにより縦樋管が垂直に差し渡される中継用ドレインにおいて、前記ストレーナの通水蓋部に対応する高さ位置で、前記ストレーナの筒状保持部内に、上端を縦樋管の外径より径大な導入口とし、下端を排水管部の上部開口径より径小または略同径の導出口とする漏斗状部が、その導出口を排水管部の上部位置に同心状に臨ませた状態で一体形成されていることを特徴とする中継用ドレインにおける雨水飛散防止装置であるから、ストレーナの筒状保持部内に一体形成された漏斗状部は、上端の導入口が縦樋管の外径より径大に形成されており、下端の導出口が排水管部の上部開口径より径小または略同径に形成されて、該排水管部の上方位置に同心状に臨んでいることにより、前記導入口で受け入れた雨水を導出口から排水管部へ全て流すことができる。これにより、雨水の飛沫が周囲の床面に飛散することを防止できる。
【００１５】
また、床面上からストレーナの通水蓋部を介してドレイン本体の導水筐部に流入する雨水を、排水管部へ円滑に排水することができる。ここで、上記のように漏斗状部によって雨水の飛散を防止できるので、特許文献１に開示されている構成のように、通水蓋部の天壁部を無孔の壁面にする必要がなく、該通水蓋部の天壁部に通水孔を形成することができるため、通水蓋部の排水能力が低下することがない。
【００１６】
さらに、本発明は、ストレーナの筒状保持部内に漏斗状部が一体形成されていることにより、特許文献１に開示されている構成のように、ドレイン本体の全高寸法が増大化せず、床を構成するスラブコンクリートの厚みが薄い場合でも、ドレイン本体の据え付け施工を容易に行うことができる。
【００１７】
また、前記ストレーナの筒状保持部が、漏斗状部の上部で上下に分割形成され、かつ分離可能に組み付けられている構成にあって、漏斗状部や通水蓋部を備えたストレーナの主要部が破損したり劣化したりした場合に、該主要部を容易に交換することができる。ここで、該主要部と、該主要部から分割された筒状保持部の分割筒部との夫々の高さ寸法を、縦樋管の下端部とドレイン本体の上面との間に生ずる隙間以下の寸法とすることにより、該隙間から、前記主要部と分割筒部とを夫々出し入れすることができるため、主要部のみならず分割筒部を含むストレーナ全体の交換が可能であり、また、中継用ドレインの施工時においても、縦樋管をドレイン受皿の上方で垂直に維持した状態で、その下端部にストレーナを簡単に取付けることができ、施工性に優れたものとなる。
【発明を実施するための最良の形態】
【００１８】
以下に、本発明の一実施例を、図１〜図４に基づいて説明する。
図１，図２に示すように、各階のバルコニー等の床Ｆには、排水管部４が下方に突成されたドレイン受皿３に、側方に突出する導水筐部５が連成されたドレイン本体２が、排水管部４を床Ｆに挿通させた状態で各床Ｆ毎に上下で一致する位置に配設されている。このドレイン本体２上には、ストレーナ６がビス７，７で着脱可能に固定されている。該ストレーナ６は、前記排水管部４の上方位置で縦樋管１５の下端部を内嵌して保持する筒状保持部８と、該筒状保持部８から側方に突成されて前記導水筐部５を覆う通水蓋部９とを備えている。また、該通水蓋部９は天壁部１０と周壁部１１とからなり、該天壁部１０には複数の細長状の通水孔１３が形成され、周壁部１１には複数のアーチ形の通水孔１４が形成されている。さらに、前記通水蓋部９の天壁部１０は、周壁部１１と別体形成され、基部１０’を支点として上方に開閉可能に設けられており、内部の清掃や点検を容易に行い得るようになっている。そして、このストレーナ６と前記ドレイン本体２とによって中継用ドレイン１Ｂが構成されている。尚、上記のように通水蓋部９の天壁部１０を開閉式にすることなく、周壁部１１と一体に形成することも可能である。
【００１９】
また、各階の床Ｆに配設された中継用ドレイン１Ｂには、縦樋管１５が垂直に差し渡されている。該縦樋管１５は、その上端部が上階のドレイン受皿３の排水管部４に嵌装され、下端部が下階のストレーナ６の筒状保持部８内に内嵌された状態で側方から螺入される複数のビス１６の緊締作用を介して保持されている。そして、床面ｆに形成されている浅底状の排水溝（図示省略）から主に流れてくる雨水を、通水蓋部９の通水孔１３，１４からドレイン本体２の導水筐部５に流入させ、排水管部４から縦樋管１５に流して排水し、かつ、上階から縦樋管１５を通って流下する雨水を下階のストレーナ６の筒状保持部８内で放出し、その雨水をドレイン受皿３の排水管部４内に順次流し込んで縦樋管１５によってさらに下階に排水し得るようになっている。
【００２０】
前記ストレーナ６の筒状保持部８内には、通水蓋部９に対応する高さ位置に、上端を前記縦樋管１５の外径より径大な導入口１８ａとし、下端を前記排水管部４の上部開口径より径小または略同径の導出口１８ｂとする漏斗状部１７が、その導入口１８ａを縦樋管１５の下部位置に臨ませ、かつ、その導出口１８ｂを排水管部４の上部位置に同心状に臨ませた状態で一体形成されている。そして、この漏斗状部１７によって本発明にかかる雨水飛散防止装置が構成されている。
【００２１】
また、ストレーナ６の筒状保持部８は、前記漏斗状部１７の上部で上下に分割形成されている。これにより、ストレーナ６は、漏斗状部１７や通水蓋部９を備えた主要部１９ａと、筒状保持部８の上部を構成する分割筒部１９ｂとに分割されている。分割筒部１９ｂの下端には、図２，図３に示すように、通水蓋部９側に位置させて、略三角形状を呈する二つの固定用鍔縁２０，２０が外側方に突成されており、該固定用鍔縁２０，２０にはビス２２，２２の挿通孔２１，２１が夫々形成されている。一方、主要部１９ａには、図３，図４に示すように、前記固定用鍔縁２０，２０を乗載し得る略三角形状を呈する受縁部２３，２３が設けられており、該受縁部２３，２３には、前記挿通孔２１，２１と一致する位置に雌螺子孔２４，２４が夫々形成されている。そして、図３に示すように、各受縁部２３，２３に固定用鍔縁２０，２０を乗載した状態で、該固定用鍔縁２０，２０の挿通孔２１，２１に挿通したビス２２，２２を受縁部２３，２３の雌螺子孔２４，２４に夫々螺合させて緊締することにより、漏斗状部１７の上部で上下に分割形成されたストレーナ６の筒状保持部８が分離可能に組み付けられている。
【００２２】
また、図３に示すように、前記主要部１９ａの高さ寸法Ｈ1と、筒状保持部８の上部の分割筒部１９ｂの高さ寸法Ｈ2は、縦樋管１５の下端部とドレイン本体２の上面との間に生ずる隙間の縦幅Ｈ3以下の寸法に設定されており、これによって、該隙間から、前記主要部１９ａと分割筒部１９ｂとを夫々出し入れすることができるようになっている。
【００２３】
次に、中継用ドレイン１Ｂの施工手順について説明する。
ドレイン本体２は、床Ｆの施工の際に、予めドレイン本体２を床成形用の型枠（図示省略）の上に筒状スペーサ２５（図１参照）を介して水平に支持し、この状態で型枠の上にスラブコンクリートを打設してドレイン本体２を該コンクリート内に固定する方法で据え付けられ、各階の床Ｆの上下で一致する位置に夫々配設される。この状態において、縦樋管１５を垂直にして、その上端部を上階のドレイン受皿３の排水管部４に嵌装する。そして、縦樋管１５の垂直状態を維持し、該縦樋管１５の下端部とドレイン本体２の上面との間に生じている隙間から、先ず、分割筒部１９ｂを装入して縦樋管１５に外嵌する。次に、主要部１９ａを分割筒部１９ｂの下側に装入し、ビス２２，２２によって分割筒部１９ｂと主要部１９ａとを一体に組み付ける。次いで、このように一体化されたストレーナ６をビス７，７によってドレイン本体２に固定する。然る後、ストレーナ６の筒状保持部８に複数のビス１６を螺入し、その先端を縦樋管１５の周面に圧接させて該縦樋管１５の下端部を保持させることにより、施工が完了する。
【００２４】
このように、筒状保持部８が漏斗状部１７の上部で上下に分割形成されているストレーナ６は、ドレイン本体２の上方で垂直状態を維持した縦樋管１５の下端部に簡単に取付け得るから、その施工を極めて容易に行うことができる。また、施工後においても、漏斗状部１７や通水蓋部９を備えたストレーナ６の主要部１９ａが破損したり劣化したりした場合に、該主要部１９ａを容易に交換することができる。さらに、該主要部１９ａと、該主要部１９ａから分割された筒状保持部８の分割筒部１９ｂとの夫々の高さ寸法を、縦樋管１５の下端部とドレイン本体２の上面との間に生ずる隙間以下の寸法とすることにより、該隙間から、前記主要部１９ａと分割筒部１９ｂとを夫々出し入れすることができるため、主要部１９ａのみならず分割筒部１９ｂを含むストレーナ６全体の交換が可能となる。
【００２５】
そして、かかる施工状態にあって、図１に示すように、ストレーナ６の筒状保持部８内に一体形成された漏斗状部１７は、その上端の導入口１８ａが縦樋管１５の外径より径大に形成され、その下端の導出口１８ｂが排水管部４の上部開口径より径小または略同径に形成されており、かつ、該導出口１８ｂを排水管部４の上部位置に同心状に臨ませていることにより、縦樋管１５から流下する雨水を、該導入口１８ａで全て受け入れることができ、漏斗状部１７の案内作用を介して下端の導出口１８ｂから排水管部４へ流すことができる。これにより、雨水の飛沫が周囲の床面に飛散することはない。
【００２６】
また、上記のように漏斗状部１７によって雨水の飛散を防止できるので、通水蓋部９の天壁部１０を無孔の壁面にする必要がなく、該天壁部１０に通水孔１３を形成することができるため、通水蓋部９の排水能力が低下することがなく、床面ｆ上から導水筐部５内に流入する雨水の排水機能を確保することができる。
【００２７】
さらに、ストレーナ６の筒状保持部８内に漏斗状部１７が一体形成されていることにより、ドレイン本体２の全高寸法が増大化せず、床Ｆを構成するスラブコンクリートの厚みが薄い場合でも、該ドレイン本体２の据え付け施工を容易に行うことができる。
【００２８】
尚、本発明は、上述した実施例の形態に限定されるものではなく、本発明の要旨を逸脱しない範囲内において種々変更を加え得ることは勿論である。例えば実施例では、ドレイン受皿３に、一側方に突出する導水筐部５が連成されたドレイン本体２を備えた中継用ドレイン１Ｂについて説明したが、これに代えて、前記導水筐部５が左右両側方に夫々突成されたドレイン本体２と、ストレーナ６が該両導水筐部５，５を夫々覆う二つの通水蓋部９，９とを備えた中継用ドレイン１Ｂとしてもよい。
【図面の簡単な説明】
【００２９】
【図１】本発明にかかる雨水飛散防止装置を備えた中継用ドレイン１Ｂの施工状態を示す縦断面図である。
【図２】同上の中継用ドレイン１Ｂの平面図である。
【図３】図２におけるＸ−Ｏ−Ｘ断面図である。
【図４】縦樋管１５及び筒状保持部８の分割筒部１９ｂを除去した状態の中継用ドレイン１Ｂの平面図である。
【図５】従来構成の中継用ドレイン１Ａの施工状態を示す縦断面図である。
【図６】漏斗部Ｒが設けられた従来構成の中継用ドレイン１Ａの施工状態を示す縦断面図である。
【符号の説明】
【００３０】
１Ｂ  中継用ドレイン
２  ドレイン本体
３  ドレイン受皿
４  排水管部
５  導水筐部
６  ストレーナ
８  筒状保持部
９  通水蓋部
１５  縦樋管
１７  漏斗状部（雨水飛散防止装置）
１８ａ  導入口
１８ｂ  導出口  
Ｆ  床
【図１】
2006152637.tif 000003
【図２】
2006152637.tif 000004
【図３】
2006152637.tif 000005
【図４】
2006152637.tif 000006
【図５】
2006152637.tif 000007
【図６】
2006152637.tif 000008